(57)【特許請求の範囲】
【請求項１】
特に内燃機関の捩れ振動を減衰させるためのディスク構造体の弾性連結器であって、
１．１  外周縁に回転可能に固定された態様で接続された２つの側面ディスク（１．１、１．２）を備える第１連結器半体（１）と、
１．２  ハブに関連付けられた少なくとも１つの中間ディスク（３）であって前記側面ディスク（１．１、１．２）間に配置されかつそれらによって取り囲まれる中間ディスクによって形成される第２連結器半体（２）と、
を備え、
１．３  ２つの前記第１及び第２連結器半体（１、２）が、少なくとも１つの弾性連結器素子（４）の力に対して互いに限定的な範囲で回動可能であり、
１．４  前記側面ディスク（１．１、１．２）が前記中間ディスク（３）を受ける液密な内部空間（５）を区切り、
１．５  少なくとも１つの減衰チャンバ（６）が、前記第１及び第２連結器半体（１、２）の相互の回動中に容積が可変であり、減衰媒体で充填されており、前記内部空間（５）の径方向外側領域に配置されており、
１．６  浮遊減衰リング（７）が、２つの前記第１及び第２連結器半体（１、２）それぞれに関して限定的な範囲で回動可能であり、前記内部空間（５）内に導入され、前記浮遊減衰リングが、前記第１連結器半体（１）と共に前記減衰チャンバ（６）の少なくとも１つの第１部分チャンバ（６．１）を形成し、前記第２連結器半体（２）と共に前記減衰チャンバ（６）の少なくとも１つの第２部分チャンバ（６．２）を形成し、
１．７  前記浮遊減衰リング（７）が、当該弾性連結器の外周にわたって個別のリング状セグメント（７．１、７．２、７．３）に分割され、前記リング状セグメントが、互いに離間し、前記中間ディスク（３）の径方向外側で及び／または少なくとも１つの前記側面ディスク（１．１、１．２）の外縁部（８）の径方向内側でスライドするように取り付けられる、
弾性連結器において、
１．８  前記減衰媒体または２つの前記第１及び第２連結器半体（１、２）の一方によって周方向で負荷がかかっていない状態において、前記リング状セグメント（７．１、７．２、７．３）が、延在方向端部（９．１、９．２）の一方または双方において、前記中間ディスク（３）に関して及び／または前記側面ディスク（１．１、１．２）の少なくとも一方の前記外縁部（８）に関して当該弾性連結器の径方向で所定間隔を有し、
１．９  前記リング状セグメント（７．１、７．２、７．３）が、前記中間ディスク（３）及び／または前記側面ディスク（１．１、１．２）の少なくとも一方に曲げるまたは傾ける態様で取り付けられ、前記中間ディスク（３）及び／または前記側面ディスク（１．１、１．２）の少なくとも一方の前記外縁部（８）における前記延在方向端部（９．１、９．２）の前記所定間隔が、前記減衰媒体または２つの前記第１及び第２連結器半体（１、２）の一方によって周方向で前記リング状セグメント（７．１、７．２、７．３）に負荷を掛けている状態において、曲げるまたは傾けることによって埋められることを特徴とする弾性連結器。
【請求項２】
当該弾性連結器を通る軸方向断面において、前記第１及び第２部分チャンバ（６．１、６．２）の一方の横断面が、前記リング状セグメント（７．１、７．２、７．３）の延在方向端部（９．１、９．２）に向かう方向で減少するように実施され、特に前記リング状セグメント（７．１、７．２、７．３）の延在方向中間部において相対的に大きい第１の横断面を有し、前記延在方向端部（９．１、９．２）の前の領域それぞれにおいて相対的に小さい横断面を有することを特徴とする請求項１に記載の弾性連結器。
【請求項３】
リング状セグメント（７．１、７．２、７．３）が、前記減衰媒体もしくは２つの前記第１及び第２連結器半体（１、２）の一方によってまたは連続的に周方向で負荷を掛けていない状態で、当該リング状セグメントの軸方向中間部において前記中間ディスク（３）の径方向外側で支持されていることを特徴とする請求項１または２に記載の弾性連結器。
【請求項４】
前記リング状セグメント（７．１、７．２、７．３）の径方向内側の輪郭が、それを向く前記中間ディスク（３）の径方向外側の輪郭から離れており、特に双方の輪郭が、円形の線の形態で実施されるが、円の直径が異なることを特徴とする請求項３に記載の弾性連結器。
【請求項５】
前記リング状セグメント（７．１、７．２、７．３）と２つの前記第１及び第２連結器半体（１、２）との間のスライド接触面が、前記減衰チャンバ（６）からの減衰媒体を用いて潤滑化されていることを特徴とする請求項１から４のいずれか１項に記載の弾性連結器。
【請求項６】
前記リング状セグメント（７．１、７．２、７．３）の前記延在方向端部（９．１、９．２）と前記中間ディスク（３）及び／または前記側面ディスク（１．１、１．２）の少なくとも一方との間の径方向の間隔が、前記減衰媒体の及び／または前記リング状セグメント（７．１、７．２、７．３）の温度特性にしたがって変化する、特に減少することを特徴とする請求項１から５のいずれか１項に記載の弾性連結器。
【請求項７】
前記リング状セグメント（７．１、７．２、７．３）が、これらが温度の上昇と共に真直ぐになるまたは曲がるように設計されていることを特徴とする請求項６に記載の弾性連結器。
【請求項８】
前記リング状セグメント（７．１、７．２、７．３）が、前記第１連結器半体（１）と前記浮遊減衰リング（７）との間または前記第２連結器半体（２）と前記浮遊減衰リング（７）との間の相対的な回動が増大している状態で、前記中間ディスク（３）にある傾斜点にまたは傾斜領域にわたって支持されるように配置され、前記傾斜点または前記傾斜領域が、前記リング状セグメント（７．１、７．２、７．３）の前記延在方向端部（９．１、９．２）に向かう方向にあることを特徴とする請求項１から７のいずれか１項に記載の弾性連結器。
【請求項９】
前記リング状セグメント（７．１、７．２、７．３）が、それら２つの前記延在方向端部（９．１、９．２）それぞれにおいて、停止面（１０．１、１０．２）を有し、
前記停止面が、前記第１連結器半体（１）または前記第２連結器半体（２）と前記浮遊減衰リング（７）との間で相対的に回動すると、前記第１連結器半体（１）または前記第２連結器半体（２）の反対側に配置された停止面（１１．１、１１．２）に突き当たることを特徴とする請求項１から８のいずれか１項に記載の弾性連結器。
【請求項１０】
前記リング状セグメント（７．１、７．２、７．３）が、第１連結器半体（１）及び前記第２連結器半体（２）と共に第１及び第２部分チャンバ（６．１、６．２）を有する２つの減衰チャンバ（６）を形成することを特徴とする請求項１から９のいずれか１項に記載の弾性連結器。
【発明の詳細な説明】
【技術分野】
【０００１】
本発明は、請求項１のプリアンブルに一致する特に自動車のドライブトレインのための減衰デバイスを有するディスク構造体の弾性連結器に関する。このような減衰デバイスを有する弾性連結器は、捩れ振動を維持し、下流のドライブトレインから離間するようにこの捩れ振動を発生させる。相対回動角が小さい場合に、減衰は、有利には２つの連結器半体間で発生しないまたはわずかに発生し、一方では、比較的強い減衰は、回動角度が大きいときに発生する。この特性は、負荷とは関係なく、すなわち弾性連結器が大きいまたは小さいトルクを現在伝達させるかに関係なく設定される。特に、高トルクを伝達する間さえ、振幅が小さい捩れ振動が同時にある場合には、減衰が設定されずにわずかにのみ設定され、強い減衰は、小さいトルクについて及び大きいトルクについての双方で、振幅が比較的大きい捩れ振動の場合に発生するのみである。
【背景技術】
【０００２】
ディスク構造体における公知の弾性連結器であって所望の特性を達成する弾性連結器は、特許文献１及び特許文献２に開示される。ここで示される２つの連結器それぞれは、浮遊減衰リングを有し、この浮遊減衰リングは、連結器の内部空間で両連結器半体に対して限定的な範囲で回動可能なように導入されており、この内部空間は、減衰媒体で充填されており、減衰チャンバを部分チャンバに分割する。特許文献２における浮遊減衰リングは、連結器の周囲にわたって個別のリング状セグメントに分割されており、このセグメントは、互いに離間し、連結器の中間ディスクへ径方向外側に配向されたカムと協働し、中間ディスクは、第２連結器半体を形成し、カムは、第１連結器半体の外縁部において径方向内側に向けられ、第１部分チャンバ及び第２部分チャンバを形成し、これら第１及び第２部分チャンバは、第１連結器半体と第２連結器半体との間で相対的に回動する間、それらの容積が変化する。
【０００３】
特許文献２で公知の特徴は、請求項１のプリアンブルで要約されている。公開された特許文献３及び特許文献４は、同様に、対応する特徴を開示する。
【先行技術文献】
【特許文献】
【０００４】
【特許文献１】独国登録特許公報第３９２３７４９号明細書
【特許文献２】独国特許出願公開第１０２４１１０３号明細書
【特許文献３】独国特許出願公開第１００２２６２５号明細書
【特許文献４】独国特許出願公開第１９９０７４１４号明細書
【発明の概要】
【発明が解決しようとする課題】
【０００５】
この種における連結器がその特性に関して非常に信頼性がありかつ優れていることを実際に検証されているが、さらなる改良の余地がある。このため、望ましいことは、例えば、残りの回動角度範囲における減衰動作に望ましくない影響を与えることなく、第１連結器半体と第２連結器半体との間の最大相対回動に近い範囲における、特に以前の流体減衰(hydraulic damping)を越えて、減衰特性を増幅させることである。
【課題を解決するための手段】
【０００６】
したがって、本発明は、この要請を満たすディスク構造体の弾性連結器を特定する問題に基づいている。特に、弾性連結器は、検証された形態に関する軽微な改良によって区別されており、それにもかかわらず、最大相対回転角度範囲における所望の増幅された減衰を有する。
【０００７】
本発明における問題は、請求項１の特徴を有する弾性連結器によって解決される。本発明の特に有利なかつ好都合な形態は、従属請求項で特定される。
【０００８】
発明者は、検証された浮遊減衰リングを有する連結器における軽微な改良のみを通して、成功しており、この減衰リングは、第１連結器半体と第２連結器半体との間の大きな回動角度の範囲で所望のさらなる減衰をもたらす状態で個別のリング状セグメントに分割され、これらは、大きな回動角度の範囲で連結器にいわゆる摩擦減衰を組み込む。この摩擦減衰は、浮遊減衰リングのリング状セグメントにおける軸端部領域とそれらを向く中間ディスクの外周領域または少なくとも１つの側面ディスクの内周領域との間に摩擦接触面を形成することによって達成される。本発明において、連結器は、各リング状セグメントの少なくとも１つの軸端部（基本的に、単一のリング状セグメントのみを本発明にしたがって実施すれば十分である）と中間ディスクまたは少なくとも１つの側面ディスクの外縁部との間の接触が減衰媒体を通って周方向で、または両連結器半体によってリング状セグメントに負荷を掛けた状態でのみ有効であり、一方では、減衰媒体または２つの連結器半体の一方によって周方向でリング状セグメントに負荷を掛けていない状態において、所定間隔がリング状セグメントの軸端部と中間ディスク及び／または少なくとも１つの側面ディスクの外縁部との間の連結器における径方向で設定されるように、設計されている。
【０００９】
特に有利な形態において、リング状セグメントにおける負荷を掛けた状態で埋められる間隔は、各リング状セグメントの１つの軸端部と中間ディスクとの間で生成され、一方では、リング状セグメントの１つの軸端部、特に反対側の軸端部と少なくとも１つの側面ディスクとの間で埋められる予め規定可能な間隔は、選択肢としてのみ設けられ、上記間隔を部分的にのみ埋めることもここで考慮される。
【００１０】
具体的には、本発明におけるディスク構造体の弾性連結器は、内燃機関の捩れ振動を減衰するために特に実施され、第１連結器半体と第２連結器半体とを有し、これら第１及び第２連結器半体は、少なくとも１つ設けられた弾性連結器素子に対して互いに限定的な範囲で回動可能である。第１連結器半体は、２つの側面ディスクを備え、これら側面ディスクは、回転的に固定された態様で、外周縁に接続されており、第２連結器半体は、タブに配置された少なくとも１つの中間ディスクによって形成され、これは、側面ディスク間に配置され、これらによって取り囲まれる。
【００１１】
側面ディスクは、液密内部空間を区画し、この液密内部空間は、中間ディスクを収容し、少なくとも１つの減衰チャンバは、連結器半体の相互の回動中に容積が変更可能であり、減衰媒体で充填され、内部空間の径方向外側領域に配置されている。
【００１２】
浮遊減衰リングは、２つの連結器半体それぞれに関して限定的な範囲で回動可能であり、内部空間内へ導入されており、第１連結器半体と共に減衰チャンバの少なくとも１つの１つの部分チャンバを形成し、第２連結器半体と共に減衰チャンバの少なくとも１つの部分チャンバを形成し、浮遊減衰リングは、連結器の円周にわたって個別のリング状セグメントに分割され、これらリング状セグメントは、互いに離間し、中間ディスクの径方向外側に及び／または少なくとも１つの側面ディスクの外縁部の径方向内側にスライドする態様で取り付けられている。
【００１３】
本発明において、リング状セグメントは、軸端部の一方または双方に配置されており、この軸端部は、中間ディスク及び／または少なくとも１つの側面ディスクの外縁部に対して、負荷を掛けていない状態で、連結器の径方向で所定間隔を有し、この所定間隔は、中間ディスク及び／少なくとも１つの側面ディスクの外縁部における接触によるスライド摩擦を生成するために、リング状セグメントに負荷を掛けた状態で埋められる。
【００１４】
流体減衰は、第１連結器半体と第２連結器半体との間の比較的大きい相対回動角度の範囲で増幅され、１つの部分チャンバの、特に第１部分チャンバの横断面は、リング状セグメントの軸端部に向かう方向で比較的低減されるように実施され、特に、リング状セグメントの軸方向中間部において第１の比較的大きな横断面を有し、かつそれぞれ連結器を通る軸方向断面に関して、軸端部の前の所定の軸方向延在部にわたる領域でそれぞれ比較的小さい横断面を有する。例えばリング状セグメントの中間領域に”バスタブ”を形成することによって、異なる面積を設けてもよい。これは、以下でより詳細に説明される。
【００１５】
特に、連結器の径方向断面を通る平面において中間ディスクに関して傾斜可能なリング状セグメントを設ける場合、これは、有利には、負荷を掛けていない状態でまたは継続的に、傾斜点または傾斜領域を介して中間ディスクに外部から支持される。また、一形態において、リング状セグメントに負荷を掛けていない状態で、傾斜点または傾斜領域をリング状セグメントの軸方向中間部に位置付け、負荷を増大すると共にリング状セグメントの軸端部の方向で移動してもよい。
【００１６】
特にこのような傾斜点または傾斜領域を達成するために、例えば曲げ可能なリング状セグメントを有する他の形態において、リング状セグメントの径方向内側輪郭は、形成され、これは、それを向く中間ディスクの径方向外側輪郭から離れる。両輪郭は、一形態において輪状線の形態で設計されているが、異なる円の直径を有して実施されてもよく、リング状セグメントの円の直径は、主として、中間ディスクの輪郭の円の直径よりも大きい。
【００１７】
リング状セグメントと連結器半体の一方または双方との間のスライド接触は、減衰チャンバからの減衰媒体を用いて潤滑化される。
【００１８】
さらに、リング状セグメントの軸端部と中間ディスク及び／または少なくとも１つの側面ディスクの外縁部との間の間隔を温度に依存して減少させることが可能であり、間隔は、特に減衰媒体またはリング状セグメントの温度が上昇すると共に減少する。後者の場合において、より迅速に摩擦減衰を開始することは、特に流体減衰が減少することを妨げる減衰媒体の低い温度と比較して達成され、これは、減衰媒体の温度が上昇する特定の環境の下で発生する。
【００１９】
リング状セグメントの軸端部と関連する構成部材−少なくとも１つの側面ディスクまたは中間ディスク−との間の遊びにおけるこの温度依存する変化は、例えば、リング状セグメントの径方向外側面でまたはリング状セグメントの径方向内側面で摩擦が増幅されるかに応じて、温度が増加すると共にリング状セグメントが真直ぐになるまたは湾曲するようにリング状セグメントを設計するとして、実現されてもよい。
【００２０】
本発明は、例示的な実施形態及び添付の図面に基づいて、以下で例示的な目的で説明される。
【図面の簡単な説明】
【００２１】
【図１】本発明にしたがって実施される弾性連結器を通る軸方向断面図の詳細図であって、リング状セグメントと中間ディスクとの間またはリング状セグメントと側面ディスクの外縁部との間における本発明における間隔が未だ認識できない、詳細図である。
【図２】本発明にしたがって設けられた間隔を説明するための（縮尺ではない）概略拡大図であって、この間隔が、一般的に、実際にはあまり明確ではない、概略拡大図である。
【発明を実施するための形態】
【００２２】
図１には、第１連結器半体１が示されており、この第１連結器半体は、詳細に図示されているように、２つの側面ディスク１．１及び１．２を備え、これら側面ディスクは、外周縁に回転的に固定された態様で接続されている。第１連結器半体１は、第２連結器半体２を取り囲んでおり、２つの連結器半体１、２は、弾性連結器素子４を介して互いに回転的な弾性的かつ限定的な態様で回動可能である。例えば、２つの連結器半体１、２は、ここで示すように、連結器の周方向で圧縮バネを介して互いに対して支持されており、対応する支持面は、側面ディスク１．１、１．２と第２連結器半体２とにある圧縮バネのために設けられている。例えば、支持面は、細部ａに一致して側面ディスク１．１、１．２にある突出部によって実施される。
【００２３】
第２連結器半体２は、中間ディスク３によって形成されており、この中間ディスクは、内部空間５で受けられており、この内部空間は、２つの側面ディスク１．１、１．２によって区切られている。
【００２４】
複数の減衰チャンバ６は、減衰媒体で充填されており、連結器半体１、２の相互の回動中に容積が変化され、内部空間５の径方向外側領域に配置されている。
【００２５】
さらに、浮遊減衰リング７が設けられており、この浮遊減衰リングは、連結器の外周にわたって個別のリング状セグメント７．１、７．２及び７．３に分割されており、これらリング状セグメントは、互いに離間している。減衰リング７またはそのリング状セグメント７．１、７．２、７．３は、中間ディスク３の径方向外側で及び側面ディスク１．１、１．２の外縁部８の径方向内側でスライドする。この場合において、外縁部８は、同様に、カム１２によって形成されており、このカムは、２つの側面ディスク１．１、１．２のうちの少なくとも一方から径方向内側に突出し、対向する区切面１２．１、１２．２を有し、この区切面は、リング状セグメント７．１、７．２、７．３の正反対の区切面１３．１、１３．２を向く。
【００２６】
中間ディスク３は、カム１１を有するが、このカムは、径方向外側に突出する。カム１１は、同様に径方向に延在する停止面１１．１、１１．２を有し、リング状セグメント７．１、７．２、７．３の２つの軸端部９．１、９．２にある停止面１０．１、１０．２とは正反対にあり、同様に、径方向に延在する。
【００２７】
各減衰チャンバ６は、リング状セグメント７．１、７．２、７．３によって２つの部分チャンバ６．１、６．２に分割される。図示の実施形態において、各リング状セグメント７．１、７．２の各軸端部９．１、９．２は、１つの減衰チャンバ６を２つの部分チャンバ６．１、６．２に分割する。
【００２８】
したがって、図示の実施形態において、第１部分チャンバ６．１それぞれは、１つのリング状セグメント７．１、７．２、７．３と第１連結器半体１またはそのカム１２との間に配置され、一方では、第２部分チャンバ６．２それぞれは、１つのリング状セグメント７．１、７．２、７．３と中間ディスク３またはそのカム１１との間に配置されている。
【００２９】
ここで第２連結器半体２を第１連結器半体１に対して相対的に回動させると、初期的に、第２連結器半体２の２つの停止面１１．１、１１．２の一方は、回転方向に応じて、リング状セグメント７．１、７．２、７．３の割り当てられた停止面１０．１、１０．２に達する。第２部分チャンバ６．２からの減衰媒体は、小さくなり、減衰間隙を介して接続された第２部分チャンバ６．２内に流入し、同時に拡大してこの場合においてカム１１それぞれの周方向にある他の側面それぞれに位置付けられる。特に大きな減衰ギャップを設定することによって、減衰は、最小化される、それとも消される。停止面１１．１が停止面１０．１に突き当たるまたは逆回転方向の場合において停止面１１．２が停止面１０．２に突き当たる瞬間において、対応するリング状セグメント７．１、７．２、７．３は、係合し、第１連結器半体及びそのカム１２に対して相対的に回動される。このようにして、各カム１２の一側面にある第１部分チャンバ６．１は、小さく形成され、カム１２の他の側面にある割り当てられた第１部分チャンバ６．１は、拡大され、減衰媒体は、小さくなる第１部分チャンバ６．１から拡大する第１部分チャンバ６．１へ流入する。これら２つのチャンバ間の接続は、比較的小さな減衰ギャップを介してもたらされ、所望の減衰は、発生する。
【００３０】
小さくなる第１部分チャンバ６．１において、水圧は、高くなり、これにより、中間ディスク３に向かう運動の意味でリング状セグメント７．１、７．２、７．３に傾けるまたは曲げる効果をもたらす。以下のことが発生する。
【００３１】
図２に示すように、減衰圧力が第１部分チャンバ６．１内で未だ高くならず、したがってリング状セグメント７．１、７．２、７．３が減衰媒体または第１連結器半体１によって周方向で負荷を掛けない限り、所定間隔は、リング状セグメント７．１、７．２、７．３、より正確にはその内側を向く面と中間ディスク３またはその外側を向く面との間における連結器の径方向でリング状セグメント７．１、７．２、７．３の軸端部９．１、９．２の領域に設けられている。上記曲げる力または傾ける力を第１部分チャンバ６．１から水圧または減衰圧力からリング状セグメント７．１、７．２、７．３へ掛ける場合、この間隔は、埋められ、リング状セグメント７．１、７．２、７．３は、摩擦する態様で中間ディスク３に接触する。これは、破線でその第１軸端部９．１においてリング状セグメント７．２に基づいて示されている。
【００３２】
リング状セグメント７．１、７．２、７．３を曲げるまたは傾ける態様で中間ディスク３と第１連結器半体１またはその外縁部８との間に配置するかに応じて、一実施形態においてリング状セグメント７．１、７．２、７．３の第１または第２軸端部９．１、９．２と縁部８との間でリング状セグメント７．１、７．２、７．３に負荷を掛けない状態で設けられた間隔は、同様に、埋められる。これは、破線に基づいてリング状セグメント７．２の第２軸端部９．２において図２に示されている。第１連結器半体１の外縁部８が比較的薄壁として例えばシート状金属から製造される場合、必要なことは、外縁部８とリング状セグメント７．１、７．２、７．３の第１または第２軸端部９．１、９．２との間の連結器の軸方向で移動される接触面を設けることであり、この接触面で摩擦が発生する。
【００３３】
（リング状セグメント７．１、７．２、７．３の径方向内側でまたは径方向外側で）一方のまたは他方の間隔を埋めることによって、摩擦減衰を発生し、これは、間隔を形成する限り、不活性である。
【００３４】
リング状セグメント７．１、７．２、７．３に負荷を掛けていない状態における上記所定間隔または１つの所定間隔は、対象とする間隔が埋まることが発生しない限り望まないまたは望ましくない高い摩擦力が発生することを防止するので、比較的小さく実施されてもよい。例えば、間隔は、０．５ｍｍから２ｍｍの範囲で、特に０．５ｍｍから１．５ｍｍの間で、または０．５ｍｍから１ｍｍの間であってもよい。しかしながら、他の特有のより大きい間隔は可能であるが、より小さい間隔も状況に応じて可能である。
【００３５】
さらに、いわゆるバスタブ１４の形態で、カム１２の両側にある２つの第１部分チャンバ６．１間の減衰間隙を拡大して形成することは、図２に示されており、これは、関連するリング状セグメント、ここではリング状セグメント７．２がその軸方向中間位置にある限り、常に動作中である。
【００３６】
リング状セグメント７．１、７．２、７．３が軸方向で直角の曲げ部を有して示されているが、これは、図におけるそれら軸端部９．１、９．２の領域において、省略されてもよい単なる選択肢である。
【符号の説明】
【００３７】
１  連結器半体（第１連結器半体）、１．１，１．２  側面ディスク、２  第２連結器半体（第２連結器半体）、３  中間ディスク、４  弾性連結器素子、５  内部空間、６  減衰チャンバ、６．１  第１部分チャンバ、６．２  第２部分チャンバ、７  浮遊減衰リング，減衰リング、７．１，７．２，７．３  リング状セグメント、８  外縁部，縁部、９．１，９．２  軸端部、１０．１，１０．２  停止面
【図１】
0005551773.tif 000002
【図２】
0005551773.tif 000003